(57)【特許請求の範囲】
【請求項１】
配水本管と、該配水本管に所定の間隔を隔てて接続されかつ少なくとも６個以上の排出口を設けたヘッダーとで、ループ状の配水系を構成し、前記ヘッダーの排出口のいずれかには可撓管を、他の排出口には圧力損失が前記可撓管の圧力損失よりも小さい管を接続し、この圧力損失の小さい管に、複数の可撓管を水平方向に分岐接続させる管継手を介して、複数の可撓管を分岐接続するとともに、これらの可撓管と、前記ヘッダーの排出口に接続された可撓管とにスプリンクラーヘッドを接続することを特徴とするスプリンクラーヘッド取付用配管の施工方法。
【請求項２】
配水本管と、該配水本管に所定の間隔を隔てて接続されかつ少なくとも６個以上の排出口を設けたヘッダーとで、ループ状の配水系を構成し、前記ヘッダーの排出口のうち余剰の排出口を除いて、いずれかの排出口には可撓管を、他の排出口には圧力損失が前記可撓管の圧力損失よりも小さい管を接続し、この圧力損失の小さい管に、複数の可撓管を水平方向に分岐接続させる管継手を介して、複数の可撓管を分岐接続するとともに、これらの可撓管と、前記ヘッダーの排出口に接続された可撓管とにスプリンクラーヘッドを接続し、前記余剰の排出口は閉塞することを特徴とするスプリンクラーヘッド取付用配管の施工方法。
【請求項３】
配水本管と、該配水本管に所定の間隔を隔てて接続されかつ少なくとも６個以上の排出口を設けたヘッダーとで、ループ状の配水系が構成され、前記ヘッダーの排出口のいずれかには可撓管が、他の排出口には圧力損失が前記可撓管の圧力損失よりも小さい管が接続され、この圧力損失の小さい管に、複数の可撓管を水平方向に分岐接続させる管継手を介して、複数の可撓管が分岐接続されているとともに、これらの可撓管と、前記ヘッダーの排出口に接続された可撓管とにスプリンクラーヘッドが接続されていることを特徴とするスプリンクラーヘッド取付用配管構造。
【請求項４】
配水本管と、該配水本管に所定の間隔を隔てて接続されかつ少なくとも６個以上の排出口を設けたヘッダーとで、ループ状の配水系が構成され、前記ヘッダーの排出口のうち余剰の排出口を除いて、いずれかの排出口には可撓管が、他の排出口には圧力損失が前記可撓管の圧力損失よりも小さい管が接続され、この圧力損失の小さい管に、複数の可撓管を水平方向に分岐接続させる管継手を介して、複数の可撓管が分岐接続されているとともに、これらの可撓管と、前記ヘッダーの排出口に接続された可撓管とにスプリンクラーヘッドが接続され、前記余剰の排出口は閉塞されていることを特徴とするスプリンクラーヘッド取付用配管構造。
【発明の詳細な説明】
【０００１】
【発明の属する技術分野】
本発明は、スプリンクラーヘッド取付用配管の施工方法とスプリンクラーヘッド取付用配管構造に係り、詳しくは、火災発生時にスプリンクラーヘッドから放出する消火用水を給水するために配管されるスプリンクラーヘッド取付用配管の施工方法とスプリンクラーヘッド取付用配管構造に関する。
【０００２】
【従来の技術】
従来より、火災発生時にスプリンクラーヘッドから放出する消火用水を給水するスプリンクラーヘッド取付用配管の施工方法と取付用配管構造として、特開平４−５９７１号公報に記載の技術が提案されている。これは、図９に示すように、給水用主管１００に所定間隔を隔てて接続されたＴ型管継手（以下、ティという）１０１にニップル１０２を接続し、このニップル１０２にティ１０３を介して給水用補助配管１０４を接続する。つぎに、ティ１０５を補助配管１０４に所定の間隔を隔てて組込み、さらにティ１０５にニップル１０６を介して、図１０および図１１に示している五方口継手１０９の吸込口１０７を接続する。
【０００３】
五方口継手１０９は、吸込口１０７と十字状に形成された４個の排出口１０８とを備えており、この五方口継手１０９の４個の排出口１０８に、可撓管１１０とエルボ１１１を介してスプリンクラーヘッド１１２を接続してある。
【０００４】
【発明が解決しようとする課題】
ところが、前記従来の技術では、給水用補助配管１０４の下側にのびるニップル１０６を介して五方口継手１０９を接続しなければならないので、給水用補助配管１０４の下側にニップル１０６が占める高さ方向の空間、つまりニップル１０６の長さに略相当する高さ方向の大きい空間が必要になる。このため、天井裏空間の高さが低い建物の天井にスプリンクラーヘッド１１２を配設固定する場合のスプリンクラーヘッド取付用配管の施工が困難になる。また、天井を有していない駐車場などの建物において、建物躯体に吊り金具を介して吊下した可撓管１１０に、スプリンクラーヘッド１１２を接続して配設する工法では、給水用補助配管１０４からニップル１０６が下向きに突出することになるので、駐車場の使用者に圧迫感を与える。さらに、五方口継手１０９の４個の排出口１０８には、内面が凹凸で圧力損失の大きい可撓管１１０が接続され、この可撓管１１０にエルボ１１１を介してスプリンクラーヘッド１１２が接続されている。しかし、五方口継手１０９からスプリンクラーヘッド１１２までの距離が短く、可撓管１１０が短寸である場合にはそれほど大きいな問題にならないが、五方口継手１０９からスプリンクラーヘッド１１２までの距離が長く、可撓管１１０が長寸になると、圧力損失が著しく大きくなるため、長寸の可撓管１１０に接続されているスプリンクラーヘッド１１２からの放水量および水圧が低下して、均等な放水が妨げられる欠点を有している。
【０００５】
そこで、本発明は、天井裏空間の高さが低い建物であっても、施工が容易になされ、天井を有していない建物では、使用者に与える圧迫感をなくすことができるとともに、使用される可撓管の長さを短縮することで、圧力損失に伴う放水量および水圧の低下を回避して、均等な放水を得ることができるスプリンクラーヘッド取付用配管の施工方法とスプリンクラーヘッド取付用配管構造を提供することを目的としている。
【０００６】
【課題を解決するための手段】
前記目的を達成するために、請求項１に記載の発明は、配水本管と、該配水本管に所定の間隔を隔てて接続されかつ少なくとも６個以上の排出口を設けたヘッダーとで、ループ状の配水系を構成し、前記ヘッダーの排出口のいずれかには可撓管を、他の排出口には圧力損失が前記可撓管の圧力損失よりも小さい管を接続し、この圧力損失の小さい管に、複数の可撓管を水平方向に分岐接続させる管継手を介して、複数の可撓管を分岐接続するとともに、これらの可撓管と、前記ヘッダーの排出口に接続された可撓管とにスプリンクラーヘッドを接続することを特徴としている。
【０００７】
請求項２に記載の発明は、配水本管と、該配水本管に所定の間隔を隔てて接続されかつ少なくとも６個以上の排出口を設けたヘッダーとで、ループ状の配水系を構成し、前記ヘッダーの排出口のうち余剰の排出口を除いて、いずれかの排出口には可撓管を、他の排出口には圧力損失が前記可撓管の圧力損失よりも小さい管を接続し、この圧力損失の小さい管に、複数の可撓管を水平方向に分岐接続させる管継手を介して、複数の可撓管を分岐接続するとともに、これらの可撓管と、前記ヘッダーの排出口に接続された可撓管とにスプリンクラーヘッドを接続し、前記余剰の排出口は閉塞することを特徴としている。
【０００８】
請求項３に記載の発明は、配水本管と、該配水本管に所定の間隔を隔てて接続されかつ少なくとも６個以上の排出口を設けたヘッダーとで、ループ状の配水系が構成され、前記ヘッダーの排出口のいずれかには可撓管が、他の排出口には圧力損失が前記可撓管の圧力損失よりも圧力損失の小さい管が接続され、この圧力損失の小さい管に、複数の可撓管を水平方向に分岐接続させる管継手を介して、複数の可撓管が分岐接続されているとともに、これらの可撓管と、前記ヘッダーの排出口に接続された可撓管とにスプリンクラーヘッドが接続されていることを特徴としている。
【０００９】
請求項４に記載の発明は、配水本管と、該配水本管に所定の間隔を隔てて接続されかつ少なくとも６個以上の排出口を設けたヘッダーとで、ループ状の配水系が構成され、前記ヘッダーの排出口のうち余剰の排出口を除いて、いずれかの排出口には可撓管が、他の排出口には圧力損失が前記可撓管の圧力損失よりも小さい管が接続され、この圧力損失の小さい管に、複数の可撓管を水平方向に分岐接続させる管継手を介して、複数の可撓管が分岐接続されているとともに、これらの可撓管と、前記ヘッダーの排出口に接続された可撓管とにスプリンクラーヘッドが接続され、前記余剰の排出口は閉塞されていることを特徴としている。
【００１０】
請求項１または請求項３に記載の発明によれば、配水本管とともにループ状の配水系を構成しているヘッダーそれぞれの排出口に、可撓管と圧力損失の小さい管または可撓管を介してスプリンクラーヘッドが接続されるので、ループ状の配水系の下側に高さ方向の大きい空間を占める配管部材は存在しない。このため、天井裏空間の高さが低い建物の天井にスプリンクラーヘッドを配設固定する場合のスプリンクラーヘッド取付用配管の施工が容易になる。また、天井を有していない建物において、建物躯体に吊り金具を介して吊下した可撓管に、スプリンクラーヘッドを接続して配設する工法でも、ループ状の配水系の下側に高さ方向の大きい空間を占める配管部材が存在しないことによって、使用者に圧迫感を与えることはない。さらに、ヘッダーの排出口からスプリンクラーヘッドまでの距離が短い場合には、短寸の可撓管でスプリンクラーヘッドを接続し、ヘッダーの排出口からスプリンクラーヘッドまでの距離が長い場合には、ヘッダーの排出口に圧力損失の小さい管を接続することにより、スプリンクラーヘッドに接続される可撓管の長さを短縮することができる。つまり、ヘッダーの排出口からスプリンクラーヘッドまでの距離の長短を問わず、スプリンクラーヘッドに接続される可撓管の長さを短縮できるので、スプリンクラーヘッドからの放水量および水圧の低下を抑えることができる。
【００１１】
請求項２または請求項４に記載の発明によれば、請求項１または請求項３に記載の発明の作用に併せて、可撓管と圧力損失の小さい管の両者の少なくともいずれか一方が接続されていない余剰の排出口が閉塞されることにより、スプリンクラーヘッドの数がヘッダーに設けられている排出口の個数に対応する基準数量よりも少ない場合の放水にも対応できる。
【００１２】
【発明の実施の形態】
以下、本発明の実施の形態を図面に基づいて説明する。図１は、本発明に係るスプリンクラーヘッド取付用配管の施工方法によって施工されたスプリンクラーヘッド取付用配管構造の一実施の形態を示す全体平面図であり、この図において、スプリンクラーヘッド取付用配管構造１は、所定長さを有する複数の配水本管２，２…（前記従来の給水用主管１００あるいは給水用補助配管１０４に相当する）と、これら配水本管２，２…の間に直列接続される複数のヘッダー３，３…とで水平ループ状の配水系４が構成されている。この配水系４は、口の字状の主配水系４０と、この主配水系４０の互いに対向する二辺に架け渡されてこれら二辺を連通させる二つの補助配水系４１，４１とからなる多重ループ状に構成されており、主配水系４０を構成している配水本管２に対する補助配水系４１，４１の両端部に在る配水本管２の接続は、水平方向の軸線を有するティ７を介してなされている。また、主配水系４０を構成している適所の配水本管２に給水本管５の下流側が接続されて、この給水本管５の上流側は消火用水圧送ポンプ６の吐出口に接続されている。
【００１３】
図２に示すように、ヘッダー３は、軸方向の両端部に設けた雌ネジ孔によってなる配水本管接続口３０，３０と、これら配水本管接続口３０，３０よりも小径の雌ネジ孔によってなる６個の排出口３１〜３６を備え、排出口３１と３２、３３と３４および３５と３６は、配水本管接続口３０，３０の中心を通る軸線Ｃに所定の間隔を隔てて水平に直交する軸線Ｃ１を中心にして互いに対向する位置に設けられている。そして、一方の配水本管接続口３０に一方の配水本管２の一端部に設けた雄ねじ部２Ａを螺合し、他方の配水本管接続口３０に他方の配水本管２の他端部に設けた雄ねじ部２Ｂを螺合することによって、配水本管２，２…の間に複数のヘッダー３，３…が水平かつ直列に接続される。
【００１４】
図３に示すように、ヘッダー３における排出口３１と３２および３５と３６には、水平軸線を有するニップル８を介して所定長さの可撓管９の基端部が接続され、これら可撓管９の先端部にはエルボ１６を介してスプリンクラーヘッド１０が下向きに接続される。また、排出口３３と３４には、内面に凹凸がなく圧力損失の小さい比較的長寸の管１１（例えば鋼管等、実施態様では水平直管にしている）の基端部が接続され、これら圧力損失の小さい管１１の先端部には、水平軸線を有するティ１２とニップル８を介して（つまり、水平方向に分岐接続させる管継手を介して）所定長さの２本の可撓管１３，１３が分岐接続され、これら可撓管１３，１３それぞれの先端部にはエルボ１６を介してスプリンクラーヘッド１０が下向きに接続される。
【００１５】
図４に示すように、可撓管９の基端部に袋ナット１４を挿通したのち径外方向に張出す係止フランジ９Ａを形成して、袋ナット１４が可撓管９の基端部から離脱するのを防止し、係止フランジ９Ａよりも基端側にシールリング１５を外嵌しておく。つぎに、排出口３１と３２、３５と３６にニップル８における一端部の雄ネジ８Ａを螺合して、排出口３１と３２、３５と３６のそれぞれにニップル８を接続する。ついで、可撓管９の基端側をニップル８の他端部に挿入し、かつ袋ナット１４の雌ネジ部１４Ａをニップル８における他端部の雄ネジ８Ｂに螺合して、ニップル８の他端面と袋ナット１４の間にシールリング１５と係止フランジ９Ａとを挟着することにより、ヘッダー３の排出口３１と３２および３５と３６に可撓管９を水密に接続することができる。
【００１６】
一方、図５に示すように、排出口３３と３４に圧力損失の小さい管１１における基端部の雄ネジ１１Ａを螺合することにより、排出口３３と３４に圧力損失の小さい管１１を接続することができる。また、圧力損失の小さい管１１における先端部の雄ネジ１１Ｂにティ１２の入口の雌ネジ部１２Ａを螺合して圧力損失の小さい管１１にティ１２を接続する。つぎに、２本の可撓管１３，１３の基端部に袋ナット１４を挿通したのち径外方向に張出す係止フランジ１３Ａを形成して、袋ナット１４が可撓管１３の基端部から離脱するのを防止し、係止フランジ１３Ａよりも基端側にシールリング１５を外嵌しておく。ついで、ティ１２の二つの出口の雌ネジ部１２Ｂ，１２Ｂにニップル８における一端部の雄ネジ８Ａを螺合して、ティ１２の二つの出口の雌ネジ部１２Ｂ，１２Ｂのそれぞれにニップル８を接続する。さらに、可撓管１３の基端側をニップル８の他端部に挿入し、かつ袋ナット１４の雌ネジ部１４Ａをニップル８における他端部の雄ネジ８Ｂに螺合して、ニップル８の他端面と袋ナット１４の間にシールリング１５と係止フランジ１３Ａとを挟着することにより、圧力損失の小さい管１１の先端部にティ１２およびニップル８を介して２本の可撓管１３，１３を水密に分岐接続することができる。
【００１７】
他方、図６に示すように、可撓管９、１３の先端部に袋ナット１４を挿通したのち径外方向に張出す係止フランジ９Ａ、１３Ａを形成して、袋ナット１４が可撓管９、１３の先端部から離脱するのを防止し、係止フランジ９Ａ、１３Ａよりも先端側にシールリング１５を外嵌しておく。つぎに、エルボ１６の入口の雌ネジ部１６Ａにニップル８における他端部の雄ネジ８Ｂを螺合して、エルボ１６の入口にニップル８を接続する。ついで、可撓管９、１３の先端側をニップル８の一端部に挿入し、かつ袋ナット１４の雌ネジ部１４Ａをニップル８における一端部の雄ネジ８Ａに螺合して、ニップル８の一端面と袋ナット１４の間にシールリング１５と係止フランジ９Ａ、１３Ａとを挟着することにより、可撓管９、１３それぞれの先端部にニップル８を介してエルボ１６を水密に接続することができ、このエルボ１６の下向きの出口にスプリンクラーヘッド１０が接続される。
【００１８】
前記構成のように、所定長さを有する複数の配水本管２，２…と、これら配水本管２，２…の間に直列接続される複数のヘッダー３，３…とで水平多重ループ状の配水系４を構成し、この水平多重ループ状の配水系４の構成部材である複数のヘッダー３，３…に設けた水平方向の排出口３１〜３６に、可撓管１３と圧力損失の小さい管１１または可撓管９を介してスプリンクラーヘッド１０を接続してあるので、水平多重ループ状の配水系４の下側に高さ方向の大きい空間を占める配管部材は存在しない。このため、スプリンクラーヘッド１０を建物の天井に配設固定する場合、たとえ天井裏空間の高さが低い建物であっても、スプリンクラーヘッド取付用配管１の施工が容易になる。また、天井を有していない駐車場などの建物において、建物躯体に吊り金具（図示省略）を介して吊下した可撓管９、１３に、スプリンクラーヘッド１０を接続して配設する場合でも、水平多重ループ状の配水系４の下側に高さ方向の大きい空間を占める配管部材が存在しないことによって、使用者に圧迫感を与えることはない。
【００１９】
一方、ヘッダー３の排出口３１と３４および３５と３６からスプリンクラーヘッド１０までの距離が短い場合には、短寸の可撓管９でスプリンクラーヘッド１０を接続し、ヘッダー３の排出口３３，３４からスプリンクラーヘッド１０までの距離が長い場合には、ヘッダー３の排出口３３，３４に圧力損失の小さい管１１を接続することにより、スプリンクラーヘッド１０に接続される可撓管１３の長さを短縮することができるので、ヘッダー３の排出口３１〜３６からスプリンクラーヘッド１０までの距離の長短を問わず、スプリンクラーヘッド１０に接続される可撓管９、１３の長さを短縮し、スプリンクラーヘッド１０からの放水量および水圧の低下を抑えて均等な放水を行うことができる。
【００２０】
図１に示すスプリンクラーヘッド取付用配管構造１では、多数のヘッダー３のそれぞれに８個のスプリンクラーヘッド１０を接続した基準接続パターンが大部分を占めているものの、たとえば二点鎖線Ａで囲まれた領域に在るヘッダー３のように、６個のスプリンクラーヘッド１０が接続された補助接続パターンが存在し、この補助接続パターンと前記基準接続パターンとの両者によって、建物の内部に対して均等に放水できるようになっている。このような補助接続パターンが存在するスプリンクラーヘッド取付用配管構造１において、ヘッダー３に６個のスプリンクラーヘッド１０が接続される補助接続パターンでは、図７に示すように、一方の圧力損失の小さい管１１が接続されていない余剰の排出口３４をプラグ１７によって閉塞すればよい。これにより、スプリンクラーヘッド１０の数がヘッダー３に設けられている排出口３１〜３６の個数（６個）に対応する基準数量（８個）よりも少ない場合の放水にも対応できる。
【００２１】
前記実施の形態では、６個の排出口３１〜３６を備えたヘッダー３を使用しているが、６個以上の排出口３１〜３６を備えたヘッダー３であってもよい。また、水平ループ状の配水系４を主配水系４０と二つの補助配水系４１，４１とからなる多重ループ状に構成しているが、補助配水系４１の数は、一つまたは三つ以上であってもよい。逆に、放水面積が小さい建物であれば、補助配水系４１を省略して、主配水系４０のみでループ状の配水系４を構成してもよい。さらに、ヘッダー３の排出口３１〜３６を雌ネジ孔によって構成しているが、図８のように、外周に雄ネジ部３Ａを設けた排出口３１〜３６であってもよい。このような排出口３１〜３６であれば、可撓管９の接続時にニップル８の使用を省略することができる。ただし、圧力損失の小さい管１１の接続時には、圧力損失の小さい管１１の基端部にフランジを形成するとともに、シールリングと、雄ネジ部３Ａに螺合する袋ナットが別途必要になる。
【００２２】
【発明の効果】
以上説明したように、本発明は構成されているので、以下のような格別の効果を奏する。
【００２３】
請求項１または請求項３に記載の発明によれば、ループ状の配水系の下側に高さ方向の大きい空間を占める配管部材が存在しないので、天井裏空間の高さが低い建物の天井にスプリンクラーヘッドを配設固定する場合のスプリンクラーヘッド取付用配管の施工が容易になる。また、天井を有していない建物において、建物躯体に吊り金具を介して吊下した可撓管に、スプリンクラーヘッドを接続して配設する工法でも、使用者に圧迫感を与えることはない。さらに、ヘッダーの排出口からスプリンクラーヘッドまでの距離の長短を問わず、スプリンクラーヘッドに接続される可撓管の長さを短縮できるので、スプリンクラーヘッドからの放水量および水圧の低下を抑えることができる。
【００２４】
また、請求項２または請求項４に記載の発明によれば、前記請求項１または請求項３に記載の発明が奏する効果に加えて、可撓管と圧力損失の小さい管の両者の少なくともいずれか一方が接続されていない余剰の排出口が閉塞されることにより、スプリンクラーヘッドの数がヘッダーに設けられている排出口の個数に対応する基準数量よりも少ない場合の放水にも対応することができる。
【図面の簡単な説明】
【図１】  本発明に係るスプリンクラーヘッド取付用配管構造の一実施の形態を示す全体平面図である。
【図２】  ヘッダーの一例を拡大して示す横断平面図である。
【図３】  ヘッダーからスプリンクラーヘッドまでの配管例を示す拡大平面図である。
【図４】  ヘッダーの排出口に対する可撓管の接続構造の一例を示す拡大横断平面図である。
【図５】  ヘッダーの排出口に圧力損失の小さい管を介して可撓管を接続する構造の一例を示す拡大横断平面図である。
【図６】  可撓管の出口に対するエルボの接続構造の一例を示す拡大縦断面図である。
【図７】  余剰の排出口の閉塞構造の一例を示す拡大平面図である。
【図８】  排出口の変形例を拡大して示す平面図である。
【図９】  従来例の斜視図である。
【図１０】  五方口継手の拡大平面図である。
【図１１】  図１０の半截正面図である。
【符号の説明】
１  スプリンクラーヘッド取付用配管構造
２  配水本管
３  ヘッダー
４  ループ状の配水系
９  ヘッダーの排出口に接続される可撓管
１０  スプリンクラーヘッド
１１  圧力損失の小さい管
１３  圧力損失の小さい管に接続される可撓管
３１  ヘッダーの排出口
３２  ヘッダーの排出口
３３  ヘッダーの排出口
３４  ヘッダーの排出口または余剰の排出口
３５  ヘッダーの排出口
３６  ヘッダーの排出口
【図１】
0004649029.tif 000002
【図２】
0004649029.tif 000003
【図３】
0004649029.tif 000004
【図４】
0004649029.tif 000005
【図５】
0004649029.tif 000006
【図６】
0004649029.tif 000007
【図７】
0004649029.tif 000008
【図８】
0004649029.tif 000009
【図９】
0004649029.tif 000010
【図１０】
0004649029.tif 000011
【図１１】
0004649029.tif 000012